(57)【特許請求の範囲】
【請求項１】
圧力計測部を支持する密閉されたハウジングに、当該ハウジングの内部で発生した異常圧力をリリーフする空気抜部を設けてなる圧力計において、前記ハウジングと前記圧力計測部をパイプ状の固定ピン部材により結合し、前記固定ピン部材の中空部両端を前記ハウジングの内部と外部に臨ませることにより前記空気抜部を設けたことを特徴とする圧力計。
【請求項２】
前記固定ピン部材は、軸管部の一端部に広幅の頭部を有し、かつ前記軸管部の他端部を外側に塑性変形可能なカシメピンであることを特徴とする請求項１記載の圧力計。
【請求項３】
前記固定ピン部材は、軸管部の一端部に広幅の頭部を有し、かつ前記軸管部の他端部の外周にネジ部を有するボルトピンと、前記ネジ部に螺合するナットからなることを特徴とする請求項１記載の圧力計。
【請求項４】
前記固定ピン部材の中空部に円柱形状の弾性封止部材を圧入してなることを特徴とする請求項１記載の圧力計。
【発明の詳細な説明】
【０００１】
【発明の属する技術分野】
本発明は圧力計測部を内蔵する密閉されたハウジングに、当該ハウジングの内部で発生した異常圧力をリリーフする空気抜部を有する圧力計に関する。
【０００２】
【従来の技術】
図５に従来の圧力計５０を示す。圧力計５０は密閉されたハウジング５１を備え、このハウジング５１は、圧力計測部５２を収容する前端の開放されたハウジング本体部５１ｍと、このハウジング本体部５１ｍの前端を閉塞するガラス又はプラスチック等により形成された透明な前面カバー部５１ｆからなる。また、ハウジング５１に内蔵される圧力計測部５２はベースプレート５３を有し、このベースプレート５３の一方の面に圧力計測部本体５４を配設する。そして、ベースプレート５３は複数のリベット（止ネジ）５５…によりハウジング本体部５１ｍの裏面部５１ｍｒの内面に取付支持される。なお、５６は継手部，５７は被計測媒体（圧力空気）の導入路，５８はブルドン管，５９は文字盤，６０は指針である。これにより、被計測媒体は導入路５７を通ってブルドン管５８に供給される。ブルドン管５８は被計測媒体の圧力の大きさに対応して曲率の大きさが変化するため、このときの変化量が指針６０の振れに変換される。
【０００３】
ところで、圧力計５０に過大圧力が供給されたりブルドン管５８の金属疲労等によってブルドン管５８がパンクし、ハウジング５１の内部に異常圧力が発生した場合には、前面カバー部５１ｆが損壊する虞れがあるのみならず、前面カバー部５１ｆの飛散によって圧力計５０の前方にいる読取中の作業者が怪我をする虞れもある。
【０００４】
このため、この種の圧力計５０では、図６に拡大して示すように、ハウジング５１の裏面部５１ｍｒに空気抜孔６１を設けることにより、ハウジング５１の内部に発生した異常圧力をリリーフしていた。なお、６２は空気抜孔６１を封止するゴム製のキャップである。このキャップ６２はハウジング５１の内部で発生した異常圧力により外側に抜脱するとともに、ハウジング５１の内部にゴミや水等の異物が入り込まないように大きさ及び形状が考慮されている。
【０００５】
【発明が解決しようとする課題】
しかし、上述した従来の圧力計５０は、次のような問題点があった。
【０００６】
第一に、ハウジング５１に独立した空気抜孔６１を設ける必要があるため、ハウジング５１に対する加工工数の増加を招くとともに、外観上の煩雑化により商品性の低下を招く。
【０００７】
第二に、キャップ６２の形状として、空気抜孔６１に挿入（圧入）する封止部６２ｃとこの封止部６２ｃの一端に一体形成した広幅の頭部６２ｈを必要とするため、頭部６２ｈに何かが引掛った際にキャップ６２が容易に外れる虞れがあるなど、信頼性に劣るとともに、特定の形状に形成する必要があるため、キャップ６２のコストアップを招く。
【０００８】
本発明はこのような従来の技術に存在する課題を解決したものであり、商品性及び信頼性を高めるとともに、加工工数及びコストの低減を図ることができる圧力計の提供を目的とする。
【０００９】
【課題を解決するための手段及び実施の形態】
本発明は、圧力計測部２を支持する密閉されたハウジング３に、当該ハウジング３の内部で発生した異常圧力をリリーフする空気抜部４を設けてなる圧力計１を構成するに際して、特に、ハウジング３と圧力計測部２をパイプ状の固定ピン部材５により結合し、固定ピン部材５の中空部６の両端をハウジング３の内部と外部に臨ませることにより空気抜部４を設けたことを特徴とする。
【００１０】
この場合、好適な実施の形態により、固定ピン部材５は、軸管部１１ｓの一端部に広幅の頭部１１を有し、かつ軸管部１１ｓの他端部を外側に塑性変形可能なカシメピン５ｃを利用してもよいし、軸管部１２ｓの一端部に広幅の頭部１２ｈを有し、かつ軸管部１２ｓの他端部の外周にネジ部１２ｎを有するボルトピン５ｂと、ネジ部１２ｎに螺合するナット５ｎを利用してもよい。また、固定ピン部材５の中空部６には円柱形状の弾性封止部材１４を圧入することができる。
【００１１】
これにより、固定ピン部材５はハウジング３と圧力計測部２を結合する機能とハウジング３の内部における異常圧力空気を外部に逃がす機能（空気抜部４）を兼用するため、ハウジング３に別途設ける空気抜孔は不要になる。また、固定ピン部材５は軸方向に所定の長さを有するパイプ状をなすため、中空部６（空気抜部４）に単純な円柱形状の弾性封止部材１４を圧入することにより、封止可能となる。
【００１２】
【実施例】
次に、本発明に係る好適な実施例を挙げ、図面に基づき詳細に説明する。
【００１３】
まず、本実施例に係る圧力計１の構成部品について、図１〜図３を参照して説明する。
【００１４】
２はユニット化された圧力計測部である。この圧力計測部２は略矩形のベースプレート２１を備え、このベースプレート２１の一方の面には、圧力計測部本体２２を配設するとともに、他方の面には凸部２３を突出させる。この場合、ベースプレート２１の一方の面に、ジョイントブロック２４を取付け、このジョイントブロック２４の一部をベースプレート２１の開口から他方の面に突出させて凸部２３とする。この凸部２３は筒状をなし、外周面には、Ｏリングを用いたシーリング部材２５を装着する。また、ベースプレート２１の隅部の二か所（複数か所）には、図２に示すような固定用孔部１５…を形成する。
【００１５】
一方、ジョイントブロック２４にはＣ形に湾曲したブルドン管２６の一端を埋設して結合する。この場合、ジョイントブロック２４の内部には被計測媒体（圧力空気）を導入する導入路を有し、ブルドン管２６の内部は当該導入路を介して凸部２３の先端開口に連通する。また、圧力計測部本体２２の略中央位置には、先端に指針２７を有するシャフト２８を回動自在に配設するとともに、ブルドン管２６の他端と当該シャフト２８間には、ブルドン管２６の他端の変位をシャフト２８の回転に変換する運動変換機構２９を配設する。運動変換機構２９は図３に示すように、中間部を回動自在に支持されたセクタギア３０と、このセクタギア３０の後端とブルドン管２６の他端を連結したリンク３１と、シャフト２８に取付けることにより、セクタギア３０の前端ギア部３２に噛合するピニオン３３と、シャフト２８に取付けた渦巻スプリング３４を備える。なお、３５は目盛盤である。
【００１６】
このようなユニット化された圧力計測部２は圧力計測機能を有する圧力計測部本体２２を含むため、圧力計測部２を製作した段階で圧力計測部本体２２の調整（校正）を行うことができる。即ち、シーリング部材２５を装着した凸部２３を圧力計調整器の接続口に接続して圧力計測部２の調整を行うことができる。このような圧力計測部２はハウジング３側の種類が異なる場合にも共通に使用できるため、圧力計測部２を接続する圧力計調整器の接続口は、当該圧力計測部２の凸部２３に対応する一種類の接続口で足り、圧力計調整器側のコストダウンを図れる利点がある。
【００１７】
他方、３はハウジングであり、このハウジング３は圧力計測部２を収容する前端の開放されたハウジング本体部３ｍと、このハウジング本体部３ｍの前端を閉塞するガラス又はプラスチック等により形成された透明な前面カバー部３ｆからなる。
【００１８】
ハウジング本体部３ｍは、筒状の周面部４２と、この周面部４２の一端を閉塞する裏面部４３を一体形成し、この裏面部４３の外面中心位置には外周にネジ部４１ｎを設けた継手部４１を直角に突出形成する。また、継手部４１を含むハウジング本体部３ｍの内部には導入路４４を形成し、特に、裏面部４３の内面に開口する導入路４４の内端は凹部４５として形成する。なお、ハウジング本体部３ｍは、切削加工により形成してもよいし、鋳造やプレス成形等の他の手法で形成してもよい。さらに、継手部４１とハウジング３を別体で形成し、カシメ，接着，溶接等により一体的に結合することもできる。さらに、裏面部４３には前記ベースプレート２１に設けた各固定用孔部１５…に対応する二つ（複数）の固定用孔部１６…を形成する。
【００１９】
また、図２に示すカシメピン５ｃ（固定ピン部材５）を二個（複数個）用意する。カシメピン５ｃは、アルミニウム等の塑性変形可能な素材により一体形成したもので、中空部６を有するパイプ状の軸管部１１ｓと、この軸管部１１ｓの一端部に広幅に形成した頭部１１ｈを備える。
【００２０】
さらに、図２に示す弾性封止部材１４を二個（複数個）用意する。弾性封止部材１４はカシメピン５ｃの中空部６に圧入可能な円柱形状をなし、例えば、断面円形のゴムワイヤを一定間隔置きに切断することによって、容易かつ安価に得ることができる。
【００２１】
次に、このような構成部品を有する圧力計１の組立方法について、図１〜図３を参照して説明する。
【００２２】
まず、圧力計測部２をハウジング本体部３ｍの内部に収容し、ベースプレート２１をハウジング本体部３ｍの裏面部４３の内面に取付ける。この際、図１に示すように、シーリング部材２５を装着した凸部２３は凹部４５に収容される。これにより、凹部４５の内部と凸部２３の内部に形成した導入路が接続されるとともに、凹部４５の内周面と凸部２３の外周面間には圧縮状態のシーリング部材２５が介在して気密性が確保される。
【００２３】
また、ベースプレート２１を裏面部４３の内面に取付けるに際しては、ベースプレート２１は裏面部４３の内面に重なるため、両者における固定用孔部１５…と１６…の位置を一致させ、図２に示すように、カシメピン５ｃの軸管部１１ｓを固定用孔部１６及び１５に順次挿入し、軸管部１１ｓの先端（他端部）を外側に塑性変形させる。これにより、ベースプレート２１と裏面部４３間、即ち、圧力計測部２とハウジング本体部３ｍ間が一体に結合され、圧力計測部２はハウジング３により支持される。
【００２４】
よって、カシメピン５ｃにおける中空部６の両端はハウジング３の内部と外部に臨み、当該ハウジング３の内部で発生した異常圧力をリリーフする空気抜部４が設けられる。このように、カシメピン５ｃはハウジング３と圧力計測部２を結合する機能と異常圧力空気を外部に逃がす機能を兼用するため、ハウジング３に別途設ける空気抜孔は不要になり、ハウジング３に対する加工工数の低減、さらには外観のシンプル化によって商品性を高めることができる。
【００２５】
また、カシメピン５ｃの中空部６には、図２に示すように、弾性封止部材１４を圧入する。この場合、弾性封止部材１４はカシメピン５ｃから突出しないように中空部６の内部に押し込めば、従来のキャップのように外れ易い不具合が解消されるとともに、より異物が侵入しにくくなるなど、信頼性が飛躍的に高められる。
【００２６】
そして、図１に示すように、前面カバー部３ｆをハウジング本体部３ｍの前端に装着すれば、密閉されたハウジング３の内部に圧力計測部２が収容された圧力計１の組立が終了する。
【００２７】
このような圧力計１は継手部４１を被計測対称物に取付ければ、被計測対称物の被計測媒体（圧力空気）は、導入路４４，凹部４５，凸部２３を通って、ブルドン管２６の内部に導入される。この結果、ブルドン管２６は被計測媒体の圧力に対応して曲率の大きさが変化し、ブルドン管２６の他端は一方向又はその反対方向に変位する。この変位は、運動変換機構２９、即ち、リンク３１を介してセクタギア３０の回転変位に変換され、セクタギア３０の前端ギア部３２はピニオン３３を回転させる。この結果、シャフト２８が回転し、指針２７は圧力の大きさに対応した角度に振れる。
【００２８】
一方、図４には固定ピン部材５の変更実施例を示す。図４に示す固定ピン部材５は、ボルトピン５ｂとナット５ｎを用いたものである。ボルトピン５ｂは中空部６を有するパイプ状の軸管部１２ｓと、この軸管部１２ｓの一端部に広幅に形成した頭部１２ｈを一体に備えるとともに、軸管部１２ｓの他端部の外周にはネジ部１２ｎを形成する。また、ナット５ｎは当該ネジ部１２ｎに螺合する。ボルトピン５ｂとナット５ｎの使用方法は一般的なボルトナットと同じである。変更実施例においても、ボルトピン５ｂの中空部６の両端はハウジング３の内部と外部に臨むため、異常圧力をリリーフできる空気抜部４が設けられ、ボルトピン５ｂはハウジング３と圧力計測部２を結合する機能と空気抜部４を兼用する。
【００２９】
以上、実施例について詳細に説明したが、本発明はこのような実施例に限定されるものではなく、細部の構成，形状，素材，数量等において、本発明の要旨を逸脱しない範囲で任意に変更できる。
【００３０】
例えば、固定ピン部材の中空部には円柱形状の弾性封止部材を圧入した場合を例示したが、中空部の外側に粘着テープ等を貼って閉塞するなど、他の閉塞手段を利用する場合或いは閉塞手段を全く用いない場合を排除するものではない。
【００３１】
【発明の効果】
このように、本発明に係る圧力計は、ハウジングと圧力計測部をパイプ状の固定ピン部材により結合し、固定ピン部材の中空部両端をハウジングの内部と外部に臨ませることにより、当該ハウジングの内部で発生した異常圧力をリリーフする空気抜部を設けたため、次のような顕著な効果を奏する。
【００３２】
▲１▼  カシメピンはハウジングと圧力計測部を結合する機能と異常圧力をリリーフする機能を兼用するため、ハウジングに別途設ける空気抜孔は不要になり、ハウジングに対する加工工数の低減、さらには外観のシンプル化により商品性を高めることができる。
【００３３】
▲２▼  また、固定ピン部材の中空部に円柱形状の弾性封止部材を圧入すれば、従来のキャップのように外れ易い不具合が解消されるとともに、より異物が侵入しにくくなるなど、信頼性が飛躍的に高められ、しかも、弾性封止部材は容易かつ安価に得ることができる。
【図面の簡単な説明】
【図１】本実施例に係る圧力計の一部断面側面図、
【図２】同圧力計の一部拡大断面図を含む組立説明図、
【図３】同圧力計の一部断面正面図、
【図４】同圧力計の変更実施例に係る固定ピン部材の断面図、
【図５】従来の技術に係る圧力計の一部断面側面図、
【図６】同圧力計の一部拡大断面図、
【符号の説明】
１      圧力計
２      圧力計測部
３      ハウジング
４      空気抜部
５      固定ピン部材
５ｃ    カシメピン
５ｂ    ボルトピン
５ｎ    ナット
６      中空部
１１ｓ  軸管部
１１ｈ  頭部
１２ｓ  軸管部
１２ｈ  頭部
１２ｎ  ネジ部
１４    弾性封止部材
【図１】
0003639683.tif 000002
【図２】
0003639683.tif 000003
【図３】
0003639683.tif 000004
【図４】
0003639683.tif 000005
【図５】
0003639683.tif 000006
【図６】
0003639683.tif 000007